【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
ネットワークとアクセスターミナル間でインタフェイス接続を再獲得する方法であって、該方法は下記を具備する：
インタフェイス接続を再獲得した後、現在のデータ送信が最初に発生するデータ送信であることを示すデータを保持する；
前記現在のデータ送信が前記最初に発生するデータ送信であることを示す前記データであると、ネットワーク上で前記セッション構成プロトコルプロセスと同等のネットワークにセッション構成プロトコルプロセスから構成リクエストメッセージを送信する；及び、
ネットワーク上で前記セッション構成プロトコルプロセスと同等の前記ネットワークから構成応答メッセージを受信するため前記アクセスターミナルが許可してネットワーク上で待機することでアクセスターミナルが防止される．
【請求項２】
保持データは、インタフェイス接続を再獲得した後、前記現在のデータ送信が前記最初に発生するデータ送信であると、真にするブールフラグをセットすることを含む請求項１の方法．
【請求項３】
防止するには、前記構成コマンドの送信と前記構成完了指示の受信との間で計時するタイマを保持することを含む請求項１の方法．
【請求項４】
予め設定された時間の終了で、アクセスターミナルは停止状態に戻る請求項１の方法．
【請求項５】
アクセスターミナル内の複数のプロトコルプロセスが、ネットワークプロトコルデータ構造における対応するネットワークプロトコルプロセスのグループと、期待される通信インタフェイスとを正確にエミュレートするために、結合されたマナーで動作できるように、該複数のプロトコルプロセスを構成する方法、該方法は下記のステップを具備する：
オープン状態からアクセスターミナル開始状態に変更するためアクセスターミナルに指示することによってアクセスターミナル内でプロトコルプロセスにコマンドが送信される；及び、
アクセスターミナル内の全てのプロトコルプロセスから通知を受信して前記アクセスターミナル開始状態が終了される．
【請求項６】
アクセスターミナル内の複数のプロトコルプロセスが、ネットワークプロトコルデータ構造における対応するネットワークプロトコルプロセスのグループと、期待される通信インタフェイスとを正確にエミュレートするために、結合されたマナーで動作できるように、該複数のプロトコルプロセスを構成し、調整するアクセスターミナル、該アクセスターミナルは下記を具備する：
アクセスターミナルで現在の状態を変更するのに必要な検出をするアクセスターミナルのための手段と、
前記アクセスターミナル内の位置でセッション構成プロトコルプロセスから構成コマンドを送信するのに必要なアドレスのための手段と、前記構成コマンドが前記変更をコントロールするための属性を含む応答プロトコルプロセスに送信し、前記応答プロトコルプロセスがアクセスターミナル内に位置する；及び、
前記応答プロトコルプロセスが変更の受諾または拒絶をするとき決定するための手段とである．
【請求項７】
さらに、アクセスターミナルの前記セッション構成プロトコルプロセスに前記応答プロトコルプロセスからプロトコルネゴシエイション失敗の指示を送信するための手段を具備する請求項６のアクセスターミナル．
【請求項８】
さらに、アクセスターミナルの前記セッション構成プロトコルプロセスに前記応答プロトコルプロセスから構成完了の指示を送信するための手段を具備する請求項７のアクセスターミナル．
【請求項９】
通信ネットワークで通信するアクセスターミナル内で実行する方法であって、該方法は下記を具備する：
セッション構成プロトコルプロセスが、現セッションの状態に基づいて使用される不揮発性メモリのデータ構成を決定する場合、不揮発性メモリから少なくとも１つのセッション構成変数を読み出し；
前記セッション構成プロトコルプロセスが、不揮発性メモリに記憶された非構成変数を決定する場合、少なくとも１つのセッション構成変数のデフォルト値を割り当て；及び
前記セッション構成プロトコルプロセスから応答プロトコルプロセスに構成コマンドを送り、前記構成コマンドは前記応答プロトコルプロセスの現在の状態を変更するのに必要とする制御のための属性を含む．
【請求項１０】
前記応答プロトコルプロセスが前記構成コマンドを受け入れた際、前記応答プロトコルプロセスから前記セッション構成プロトコルプロセスに受諾を送信し；
前記応答プロトコルプロセスが前記コマンドを拒絶した場合、処理を終了することをさらに具備する請求項９に従った方法．
【請求項１１】
前記応答プロトコルプロセスが前記構成コマンドを受け入れた際、前記応答プロトコルプロセスから前記セッション構成プロトコルに構成完了指示を送信することをさらに具備する請求項１０に従った方法．
【請求項１２】
前記構成コマンドを受け入れたアクセスターミナルにおいて全てのプロトコルプロセスから構成完了指示を受信する応答としてネットワークにメッセージを送信することをさらに具備する請求項１１に従った方法．
【請求項１３】
前記構成コマンド受諾に応答して前記セッション構成プロトコルプロセスに前記応答プロトコルプロセスから真の値を送信することを受諾伝送に含むことをさらに具備する請求項１１に従った方法．
【請求項１４】
前記構成コマンドの拒絶に応答する前記セッション構成プロトコルプロセスに前記応答プロトコルプロセスから偽の値を送信することを終了に含むことをさらに具備する請求項１１に従った方法．
【請求項１５】
応答プロトコルプロセスが構成コマンドを受け入れた際、予め設定された時間の終了で前記セッション構成プロトコルプロセスに前記応答プロトコルプロセスからプロトコルネゴシエイション失敗の指示を送信することをさらに具備する請求項１１に従った方法．
【請求項１６】
前記応答プロトコルプロセスが前記構成コマンドを受け入れた際、リクエストメッセージの属性識別としての決定に応答してセッション管理プロトコルプロセスに前記応答プロトコルプロセスからプロトコルネゴシエイション失敗の指示を送信することをさらに具備する請求項１１に従った方法．
【請求項１７】
前記応答プロトコルプロセスが前記構成コマンドを受け入れた際、セッション管理プロトコルプロセスに前記応答プロトコルプロセスからオフェンディング属性に対応する識別データを送信することをさらに具備する請求項１１に従った方法．
【請求項１８】
前記構成コマンド送信前にネットワークに前記セッション構成プロトコルプロセスから構成リクエストメッセージを送信することをさらに具備する請求項１１に従った方法．
【請求項１９】
前記応答プロトコルプロセスが前記構成コマンドを受け入れた際、前記応答プロトコルプロセスでセッション構成を試みるための予め設定された番号のあとにプロトコルネゴシエイション失敗の指示を送信することをさらに具備する請求項１１に従った方法．
【請求項２０】
ネットワーク上で同等にアクセスターミナルにおいて前記応答プロトコルプロセスから構成リクエストメッセージを送信し、及び、
前記応答プロトコルプロセスから前記構成リクエストメッセージ送信に応答する前記応答プロトコルプロセスにおいて構成応答メッセージを受信することをさらに具備する請求項１１に従った方法．
【請求項２１】
前記受信と送信との間で時間が限定されることをさらに具備する請求項２０に従った方法．
【請求項２２】
アクセスターミナルの開始状態（initiation stage）が終了することをさらに具備する請求項１１に従った方法．
【請求項２３】
送信と受信を繰り返すステップをさらに具備する請求項１１に従った方法．
【請求項２４】
ワイヤレス通信ネットワーク内で通信するためのアクセスターミナルで使用する構成の装置であって：
プロトコルパーラメントの保持を管理するセッション構成プロトコルに従って同等のネットワークＳＣＰプロセスと通信するためのセッション構成プロトコル（ＳＣＰ）プロセスと；及び、
前記ＳＣＰプロセスは少なくとも１つの再構成リクエスト指示を受信する応答における複数の応答プロトコルプロセスに構成コマンドを送るよう構成し、各応答プロトコルプロセスは前記応答プロトコルプロセスの再構成のための要求を前記ＳＣＰプロセスに指示する再構成リクエスト指示を送るよう構成した複数の応答プロトコルプロセスと、
を具備する装置．
【請求項２５】
それぞれの前記複数の応答プロトコルプロセスは、構成が要求しない場合に拒絶指示を送信し、構成が要求する場合に受諾指示を送信するようさらに構成される請求項２４に従った装置．
【請求項２６】
それぞれの前記複数の応答プロトコルプロセスは、構成が要求した際、同等のネットワークプロトコルプロセスに構成リクエストメッセージを送信するようさらに構成される請求項２５に従った装置．
【請求項２７】
それぞれの前記複数の応答プロトコルプロセスは、構成応答メッセージが前記応答プロトコルプロセスの構成変数の同一化を含む同等のネットワークプロトコルプロセスから受信するようさらに構成される請求項２６に従った装置．
【請求項２８】
前記ＳＣＰプロセスの構成が要求された際、同等のネットワークＳＣＰプロセスに構成リクエストメッセージを送るようさらに構成される請求項２４に従った装置．
【請求項２９】
同等のネットワークＳＣＰプロセスから構成応答メッセージを受信するようさらに構成される請求項２８に従った装置．
【請求項３０】
前記ＳＣＰプロセスは、前記ＳＣＰプロセスが要求しない構成を決定した後、複数の応答プロトコルプロセスに構成コマンドを送るよう構成される請求項２９に従った装置．
【請求項３１】
前記ＳＣＰプロセスは、前記ＳＣＰプロセスが応答プロトコルプロセスから構成完了指示を受信した際、前記同等のネットワークＳＣＰプロセスに構成完了メッセージを送るようさらに構成される請求項３０に従った装置．
【請求項３２】
前記ＳＣＰプロセスは、前記同等のネットワークＳＣＰプロセスから構成完了応答メッセージを受信するようさらに構成される請求項３１に従った装置．
【請求項３３】
前記ＳＣＰプロセスは、プロトコルネゴシエイション失敗の指示がいずれかの前記複数の応答プロトコルプロセスから受信された際、現構成セッションを閉じるようさらに構成される請求項３０に従った装置．